【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
ａ）ｉ．式−Ｏ−Ｃ（Ｒ２）（Ｒ３）−Ｏ−（式中、Ｒ２及びＲ３は独立して、水素、アルキル、又はアリールである）を有する少なくとも１つの基との架橋を有するアクリルコポリマー、及び
ｉｉ．光酸発生剤
を含む組成物の層を有する基材を準備することと、
ｂ）事前に選択されたパターン状に前記層を照射して、前記架橋の少なくとも一部を開裂させることと、
を含み、
前記コポリマーは、４〜２０個の炭素原子を有する１つ以上の非環状アルキル（メタ）アクリレートモノマーから誘導される重合単位を含み、
前記照射工程は、前記光酸発生剤を開裂させ、それによって酸及び前記架橋の一部の開裂を触媒する初期酸を放出する、パターン化されたフィルム物品の製造方法。
【請求項２】
前記アクリルコポリマーは、式：
【化１】
2019500432.tif 000001
の共重合したモノマー単位
（Ｒ１は、水素又はメチルであり、
Ｒ２及びＲ３は独立して、水素、アルキル、又はアリールであり、
Ｌ１は、二価の結合基である）
を含む、請求項１に記載の方法。
【請求項３】
前記アクリルコポリマーは、式：
【化２】
2019500432.tif 000002
の共重合したモノマー単位
（Ｒ１は、水素又はメチルであり、
Ｒ３は独立して、水素、アルキル、又はアリールであり、
Ｌ１は、二価の結合基である）
を含む、請求項１に記載の方法。
【請求項４】
前記ポリマーは、４〜２０個の炭素原子を有する１つ以上のアルキル（メタ）アクリレートモノマーから誘導される重合単位を少なくとも５０重量％含む、請求項１〜３のいずれか一項に記載の方法。
【請求項５】
前記アクリルコポリマーは、０．１〜２０重量％の開裂可能な架橋性モノマー単位を含む、請求項１〜４のいずれか一項に記載の組成物。
【請求項６】
前記コポリマーの非照射部分は、式：
−［Ｍエステル］ａ−［Ｍ酸］ｂ−［Ｍ極性］ｃ−［Ｍビニル］ｄ−［Ｍ不安定］ｅ−［Ｍｘ結合］ｇ−のもの
（式中、［Ｍエステル］は、（メタ）アクリレートエステルモノマー単位を表し、下付き文字ａは、その重量パーセントを表し、
［Ｍ酸］は、酸官能性モノマー単位を表し、下付き文字ｂは、その重量パーセントを表し、
［Ｍ極性］は、極性モノマー単位を表し、下付き文字ｃは、その重量パーセントを表し、
［Ｍビニル］は、ビニルモノマー単位を表し、下付き文字ｄは、その重量パーセントを表し、
［Ｍ不安定］は、式Ｉ又はＩＩの不安定架橋剤から誘導されるモノマー単位を表し、下付き文字ｅは、その重量パーセントを表し、
［Ｍｘ結合］は、開裂不可能な架橋剤から誘導されるモノマー単位を表し、下付き文字ｇは、その重量パーセントを表す）
である、請求項１に記載の方法。
【請求項７】
前記照射されたコポリマーは、式：
−［Ｍエステル］ａ−［Ｍ酸］ｂ−［Ｍ極性］ｃ−［Ｍビニル］ｄ−［Ｍ不安定］ｅ−ｆ−［Ｍ残留部］ｆ−［Ｍｘ結合］ｇ−のもの
（式中、［Ｍエステル］は、（メタ）アクリレートエステルモノマー単位を表し、下付き文字ａは、その重量パーセントを表し、
［Ｍ酸］は、酸官能性モノマー単位を表し、下付き文字ｂは、その重量パーセントを表し、
［Ｍ極性］は、極性モノマー単位を表し、下付き文字ｃは、その重量パーセントを表し、
［Ｍビニル］は、ビニルモノマー単位を表し、下付き文字ｄは、その重量パーセントを表し、
［Ｍ不安定］は、式Ｉ又はＩＩの不安定架橋剤から誘導されるモノマー単位を表し、下付き文字ｅ−ｆは、残留している不安定架橋単位の残りの量の重量パーセントを表し、
［Ｍ残留部］は、前記式Ｉ又はＩＩの不安定架橋剤から誘導されるモノマー単位の残留部を表し、ｆは、その重量パーセントを表し、
［Ｍｘ結合］は、開裂不可能な架橋剤から誘導されるモノマー単位を表し、下付き文字ｇは、その重量パーセントを表す）
である、請求項１に記載の方法。
【請求項８】
前記基材は、アパーチャマスクを通した照射によって、事前に選択されたパターン状に照射される、請求項１に記載の方法。
【請求項９】
式−Ｏ−Ｃ（Ｒ２）（Ｒ３）−Ｏ−（式中、Ｒ２及びＲ３は独立して、水素、アルキル、又はアリールである）を有する少なくとも１つの基との架橋を有するアクリルコポリマーの層を含むパターン化されたフィルム物品であって、
前記パターンは、前記接着剤コポリマー中の高架橋密度領域及び低架橋密度領域を含み、
前記コポリマーは、４〜２０個の炭素原子を有する１つ以上の非環状アルキル（メタ）アクリレートモノマーから誘導される重合単位を含み、
前記アクリル接着剤コポリマー中の架橋密度は、前記高架橋密度領域と前記低架橋密度領域との間で少なくとも５％異なる、パターン化されたフィルム物品。
【請求項１０】
前記コポリマーは、４〜２０個の炭素原子を有する１つ以上のアルキル（メタ）アクリレートモノマーから誘導される重合単位を少なくとも５０重量％含む、請求項９に記載のパターン化されたフィルム物品。
【請求項１１】
前記コポリマーは、前記コポリマーの前記高架橋密度領域中に０．１〜２０重量％の開裂可能な架橋性モノマーを含む、請求項９又は１０に記載のパターン化されたフィルム物品。
【請求項１２】
前記コポリマーは、式：
【化３】
2019500432.tif 000003
の共重合した開裂可能な架橋性モノマー
（Ｒ１は、水素又はメチルであり、
Ｒ２及びＲ３は独立して、水素、アルキル、又はアリールであり、
Ｌ１は、二価の結合基である）
を含む、請求項９〜１１のいずれか一項に記載のパターン化されたフィルム物品。
【請求項１３】
前記コポリマーは、式：
【化４】
2019500432.tif 000004
の共重合した開裂可能な架橋性モノマー
（Ｒ１は、水素又はメチルであり、
Ｒ３は独立して、水素、アルキル、又はアリールであり、
Ｌ１は、二価の結合基である）
を含む、請求項９〜１１のいずれか一項に記載のパターン化されたフィルム物品。
【請求項１４】
高架橋密度領域中の前記コポリマーは、式：
−［Ｍエステル］ａ−［Ｍ酸］ｂ−［Ｍ極性］ｃ−［Ｍビニル］ｄ−［Ｍ不安定］ｅ−［Ｍｘ結合］ｇ−のもの
（式中、［Ｍエステル］は、（メタ）アクリレートエステルモノマー単位を表し、下付き文字ａは、その重量パーセントを表し、
［Ｍ酸］は、酸官能性モノマー単位を表し、下付き文字ｂは、その重量パーセントを表し、
［Ｍ極性］は、極性モノマー単位を表し、下付き文字ｃは、その重量パーセントを表し、
［Ｍビニル］は、ビニルモノマー単位を表し、下付き文字ｄは、その重量パーセントを表し、
［Ｍ不安定］は、式Ｉ又はＩＩの不安定架橋剤から誘導されるモノマー単位を表し、下付き文字ｅは、その重量パーセントを表し、
［Ｍｘ結合］は、開裂不可能な架橋剤から誘導されるモノマー単位を表し、下付き文字ｇは、その重量パーセントを表す）
である、請求項９〜１３のいずれか一項に記載のパターン化されたフィルム物品。
【請求項１５】
低架橋密度領域中の前記コポリマーは、式：
−［Ｍエステル］ａ−［Ｍ酸］ｂ−［Ｍ極性］ｃ−［Ｍビニル］ｄ−［Ｍ不安定］ｅ−ｆ−［Ｍ残留部］ｆ−［Ｍｘ結合］ｇのもの
（式中、［Ｍエステル］は、（メタ）アクリレートエステルモノマー単位を表し、下付き文字ａは、その重量パーセントを表し、
［Ｍ酸］は、酸官能性モノマー単位を表し、下付き文字ｂは、その重量パーセントを表し、
［Ｍ極性］は、極性モノマー単位を表し、下付き文字ｃは、その重量パーセントを表し、
［Ｍビニル］は、ビニルモノマー単位を表し、下付き文字ｄは、その重量パーセントを表し、
［Ｍ不安定］は、式Ｉ又はＩＩの不安定架橋剤から誘導されるモノマー単位を表し、下付き文字ｅ−ｆは、残留している前記単位の残りの量の重量パーセントを表し、
［Ｍ残留部］は、前記式Ｉ又はＩＩの不安定架橋剤から誘導されるモノマー単位の残留部を表し、ｆは、その重量パーセントを表し、
［Ｍｘ結合］は、開裂不可能な架橋剤から誘導されるモノマー単位を表し、下付き文字ｇは、その重量パーセントを表す）
である、請求項９〜１３のいずれか一項に記載のパターン化されたフィルム物品。